(57)【要約】【課題】送信電力の過度な増加により、ユーザ収容数が減少するのを防止する無線基地局装置を提供する。【解決手段】受信状態監視部１０は、全ユーザのパス遅延位置情報、ＳＩＲ値計算結果および干渉波電力を常時監視する。移動機の故障などで使用する周波数帯に突発的に高い電力値を持つ干渉波が発生すると、ＴＰＣビット出力制御部９は、ＴＰＣビット生成部８で生成されたＴＰＣビットの出力を停止し、受信状態監視部１０で生成された所定のＴＰＣビットを出力して各移動機の送信電力を制御する。そのため、無線基地局は、送信電力を上げ続けるＴＰＣビットの送信を防止することができる。さらに、他ユーザからの干渉波は移動機の故障等による干渉波と比較して、受信品質劣化の影響が少ないため、故障等による干渉波の影響を軽減させることによって、セル内のユーザ収容数の減少を防止することができる。【選択図】図１
2007318402.tif 000002
【特許請求の範囲】
【請求項１】
移動機の送信電力を制御する基地局装置であって、
所定の拡散符号を用いてパスサーチを行って、パスサーチによって得られた中で前記拡散符号との相関性がもっとも高いパスを検出する同期捕捉部と、
前記同期捕捉部で検出された前記パスのＳＩＲ計算値および干渉波電力を算出するＳＩＲ計算部と、
ＳＩＲ基準値を定義しておき、前記ＳＩＲ計算部で算出された前記ＳＩＲ計算値がＳＩＲ基準値より小さければ、送信電力を大きくするような前記送信電力制御情報を生成し、前記ＳＩＲ計算値が前記ＳＩＲ基準値より大きければ、送信電力を小さくするような前記送信電力制御情報を生成する送信電力制御情報生成部と、
前記同期捕捉部で検出された前記パスと前記ＳＩＲ計算部で算出された前記ＳＩＲ計算値および前記干渉波電力との情報に基づいて、突発的な干渉の増加が発生したときには前記送信電力制御情報生成部によって生成された前記送信電力制御情報を使用せず、そうでないときには使用すると判定する受信状態監視部と、
前記送信電力制御情報生成部による前記送信電力制御情報を使用しないと判定されたとき、所定パターンの送信電力情報を前記移動機に通知し始め、その後、前記受信状態監視部で送信電力制御生成部によって生成された前記送信電力を使用すると判定されると、前記送信電力制御情報生成部の生成した前記送信電力制御情報を前記移動機に通知する状態に戻る送信電力制御情報出力制御部と、を有する基地局受信装置。
【請求項２】
前記受信状態監視部は、前記送信電力制御情報を使用しないと判定すると、前記移動機の送信電力を一定範囲に保つような前記所定パターンの送信電力制御情報を前記送信電力制御情報出力制御部に送り、前記送信電力制御情報制御部は、前記受信状態監視部からの前記送信電力制御情報を前記移動機に通知する請求項１記載の基地局装置。
【請求項３】
前記送信電力制御情報は、前記移動機に送信電力の増加または減少を指示するためのＴＰＣビットである請求項１または請求項２記載の基地局装置。
【請求項４】
前記受信状態監視部は、
前記同期捕捉部で今回検出されたパスと前回検出されたパスとを比較することによって、前記移動機が同一地点にいることを検出する受信パス状態判定部と、
前記ＳＩＲ計算部で今回算出された前記ＳＩＲ計算値と前回算出されたＳＩＲ計算値とからＳＩＲ減少量またはＳＩＲ増加量を計算するとともに、前記ＳＩＲ計算部で今回算出された干渉波電力値と前回算出された干渉波電力値とから干渉電力減少量または干渉電力増加量を計算し、前記ＳＩＲ減少量が所定の第１の閾値より大きく、かつ前記干渉増加量が所定の第２の閾値より大きいとき、前記送信電力制御情報生成部による送信電力制御情報を使用しないと判定し、前記ＳＩＲ増加量が所定の第１の閾値より大きく、かつ前記干渉減少量が所定の第２の閾値より大きいとき、前記送信電力制御情報生成部による送信電力制御情報を使用すると判定する第１のユーザ受信状態判定部と、
前記第１のユーザ受信状態判定部で前記送信電力制御情報生成部による前記送信電力制御情報を使用しないと判定され、かつ前記受信パス状態判定部で前記移動機が同一地点いることが検出されたとき、前記送信電力制御情報生成部による送信電力制御情報を使用しないと判定して所定パターンの送信電力制御情報を前記送信電力制御情報出力制御部に送り、前記第１のユーザ受信状態判定部で前記送信電力制御情報生成部による前記送信電力制御情報を使用すると判定され、または前記受信パス状態判定部で前記移動機が同一地点いないことが検出されたとき、前記送信電力制御情報生成部による送信電力制御情報を使用すると判定して所定パターンの送信電力制御情報を前記送信電力制御情報出力制御部に送信しない第２のユーザ受信状態判定部とを有し、
前記送信電力制御情報出力制御部は、前記受信状態監視部で前記送信電力制御情報生成部による送信電力制御情報使用しないと判定されたとき、前記所定パターンの送信電力制御情報を前記移動機に通知し始め、その後、前記受信状態監視部で前記送信電力制御情報生成部による送信電力制御情報使用すると判定されたとき、前記送信電力制御情報を前記移動機に通知する請求項１から３のいずれか１項に記載の基地局装置。
【請求項５】
前記受信状態監視部は、前記送信電力制御情報生成部による送信電力制御情報を使用しないと判定して前記所定パターンの送信電力制御情報を前記送信電力制御情報出力制御部に送るときに、移動機同士の送信電力の変化が相殺されるように各移動機で異なるパターンを持つ前記送信電力制御情報を割り当てる請求項１から４のいずれか１項に記載の基地局装置。
【請求項６】
基地局によって移動機の送信電力を制御する送信電力制御方法であって、
予めＳＩＲ基準値を定義しておき、
所定の拡散符号を用いてパスサーチを行って、パスサーチによって得られた中で前記拡散符号との相関性がもっとも高いパスを検出し、
前記検出された前記パスのＳＩＲ計算値および干渉波電力を算出し、
算出された前記ＳＩＲ計算値が前記ＳＩＲ基準値より小さければ、送信電力を大きくする送信電力制御情報を生成し、前記ＳＩＲ計算値が前記ＳＩＲ基準値より大きければ、送信電力を小さくする前記送信電力制御情報を生成し、
前記検出された前記パスと算出された前記ＳＩＲ計算値および前記干渉波電力との情報に基づいて、突発的な干渉の増加が発生したときには前記送信電力制御情報を使用せず、そうでないときには使用すると判定し、
前記送信電力制御情報を使用しないと判定されたとき、所定パターンの送信電力情報を前記移動機に通知し始め、その後、前記前記送信電力を使用すると判定されると、前記送信電力制御情報を前記移動機に通知する状態に戻る送信電力制御方法。
【請求項７】
前記送信電力制御情報を使用しないと判定すると、前記移動機の送信電力を一定範囲に保つような前記所定尾低パターンの送信電力制御情報を生成し、生成した該送信電力制御情報を前記移動機に通知する請求項６記載の送信電力制御方法。
【請求項８】
前記送信電力制御情報は、前記移動機に送信電力の増加または減少を指示するためのＴＰＣビットである請求項６または請求項７記載の送信電力制御方法。
【請求項９】
今回検出されたパスと前回検出されたパスとを比較することによって、前記移動機が同一地点にいることを検出し、
今回算出された前記ＳＩＲ計算値と前回算出されたＳＩＲ計算値とからＳＩＲ減少量またはＳＩＲ増加量を計算するとともに、今回算出された干渉波電力値と前回算出された干渉波電力値とから干渉波電力減少量または干渉電力増加量を計算し、
前記ＳＩＲ減少量が所定の第１の閾値より大きく、かつ前記干渉増加量が所定の第２の閾値より大きいとき、送信電力制御情報を使用しないと判定し、
前記ＳＩＲ増加量が所定の第１の閾値より大きく、かつ前記干渉減少量が所定の第２の閾値より大きいとき、前記送信電力制御情報生成部による送信電力制御情報を使用すると判定し、
前記送信電力制御情報使用しないと判定されたとき、所定パターンの送信電力制御情報を前記移動機に通知し始め、その後、前記送信電力制御情報使用すると判定されたとき、前記送信電力制御情報を前記移動機に通知する求項６から８のいずれか１項に記載の送信電力制御方法。
【請求項１０】
前記送信電力制御情報を使用しないと判定して前記所定パターンの送信電力制御情報を生成するときに、移動機同士の送信電力の変化が相殺されるように各移動機で異なるパターンを持つ前記送信電力制御情報を割り当てる請求項６から９のいずれか１項に記載の送信電力制御方法。
【発明の詳細な説明】
【技術分野】
【０００１】
本発明は、移動体通信システムの無線基地局に関し、特に無線基地局の受信装置に関する。
【背景技術】
【０００２】
ＣＤＭＡ（Ｃｏｄｅ  Ｄｉｖｉｓｉｏｎ  Ｍｕｌｔｉｐｌｅ  Ａｃｃｅｓｓ）通信方式では、ＴＰＣ（Ｔｒａｎｓｍｉｓｓｉｏｎ  Ｐｏｗｅｒ  Ｃｏｎｔｒｏｌ）ビットを用いた送信電力制御方式が一般的である（特許文献１参照）。これは送信データフォーマットの中に固定のパイロットビットパターン（基準信号パターン）を周期的（スロット単位）に挿入し、受信側ではパイロットビットパターンを逆拡散した後、希望電力対干渉電力比を表すＳＩＲ（Ｓｉｇｎａｌ  ｔｏ  Ｉｎｔｅｒｆｅｒｅｎｃｅ  Ｒａｔｉｏｎ）値を推定する。このＳＩＲ値がＳＩＲ基準値より大きければ、基地局装置では、移動機の送信電力を小さくするようなＴＣＰビットが生成される。一方、ＳＩＲ値が基準ＳＩＲより小さければ、基地局装置では移動機の送信電力を大きくするようなＴＰＣビットが生成される。
【０００３】
図５は、従来の無線基地局の構成を示すブロック図である。図５を参照すると、従来の無線基地局は、受信アンテナ部１、準同期検波部２、Ａ／Ｄ（Ａｎａｌｏｇ／Ｄｉｇｔａｌ）変換部３、同期捕捉部４、逆拡散部５、ビット復調部６、ＳＩＲ計算部７、ＴＰＣビット生成部８、送信データ生成部１１、拡散部１２、拡散データ合成部１３、Ｄ／Ａ（Ｄｉｇｔａｌ／Ａｎａｌｏｇ）変換部１４、直交変調部１５、および送信アンテナ部１６を有する。
【０００４】
準同期検波部２は、受信アンテナ部１からの受信信号をベースバンド処理が可能な周波数帯に変換し、Ａ／Ｄ変換部３に送る。Ａ／Ｄ変換部３は、準同期検波部２からの信号をＡ／Ｄ変換し、同期捕捉部４に送る。同期捕捉部４は、Ａ／Ｄ変換部３からの信号を所定の拡散符号を用いてパスサーチし、検出されたパスの中で拡散符号との相関性がもっとも高いパスのパス遅延量情報を逆拡散部５に送る。
【０００５】
逆拡散部５は、同期捕捉部４からのパス遅延量情報を用いて受信データを逆拡散してビット復調部６に送る。ビット復調部６は、逆拡散部５からの受信データの位相を調整してＳＩＲ計算部７に送る。ＳＩＲ計算部７は、ＳＩＲ値を計算し、ＴＣＰビット生成部８に送る。ＴＰＣビット生成部８は、ＳＩＲ計算値と上位装置（不図示）からのＳＩＲ基準値１Ｃとを比較した結果に基づいてＴＰＣビットを生成し、送信データ作成部１１に送る。比較の結果がＳＩＲ基準値＞ＳＩＲ計算値であれば、ＴＰＣビット生成部８は、移動機の送信電力を大きくするようなＴＰＣビットを生成する。ＳＩＲ基準値＜ＳＩＲ計算値であれば、ＴＰＣビット生成部８は、移動機の送信電力を小さくするようなＴＰＣビットを生成する。
【０００６】
送信データ生成部１１は、指定されたデータフォーマットに、ＴＰＣビット生成部８から送られたＴＰＣビットを挿入して、送信データを作成する。拡散部１２は、作成された送信データを拡散符号によって拡散する。拡散データ合成部１３は、複数ユーザ分の拡散部１２からの拡散データを合成する。Ｄ／Ａ変換部１４は、拡散データ合成部１３からの拡散データをＤ／Ａ変換し、アナログ信号を直交変調部１５に送る。直交変調部１５は、Ｄ／Ａ変換部１４からのアナログ信号を無線周波数帯に変換する。
【０００７】
図６は、従来の無線基地局の動作を示すタイムチャートである。図６は、２ユーザが同一周波数帯を使用しているときの各ユーザの基地局干渉波電力と移動機の送信電力の状態との時間経過を示している。周辺の他の移動機の故障などによって図６（ａ）と図６（ｃ）のＡのタイミングで高い電力を持つ干渉波がユーザ１およびユーザ２の使用している周波数帯に発生すると、各ユーザのＳＩＲ値は小さくなるため、ユーザ１およびユーザ２の移動機の送信電力を大きくするようなＴＰＣビットが生成される。干渉電力が高い間は、ユーザ１、ユーザ２のＳＩＲ値は小さいため、移動機の送信電力を大きくするＴＰＣビットが継続して出力され、図６（ｂ）と図６（ｄ）のに示すようにユーザ１とユーザ２の移動機の送信電力が次第に増加する。
【０００８】
そして、Ｂのタイミングには、図６（ｂ）のユーザ１と図６（ｄ）のユーザ２との移動機の送信電力は、Ａのタイミングのときの送信電力と比較して高くなっている。そのため、図６（ａ）と図６（ｃ）のＢのタイミングで高い電力を持つ干渉波が消滅しても、無線基地局でのユーザ１からの信号の受信において、ユーザ２の送信電力が干渉電力として無視できなくなり、ＳＩＲ計算値はＳＩＲ基準値に対して依然として小さいままとなる。同様にユーザ２についてもユーザ１の送信電力が干渉電力として無視できなくなり、ＳＩＲ計算値はＳＩＲ基準値に対して小さいままとなる。その結果、図６（ｂ）のユーザ１と図６（ｄ）のユーザ２との移動機の送信電力をさらに大きくするようなＴＰＣビットが生成される。
【特許文献１】特開２００１−２９８７６７号公報
【発明の開示】
【発明が解決しようとする課題】
【０００９】
周辺の移動機の故障等で突発的に高い電力の干渉波が発生すると、無線基地局の受信において干渉波の電力が大きくなり、各移動機の送信電力を大きくするような送信電力制御が行われる。高い電力の干渉波が発生している状態が続くと、送信電力制御によって各移動機からの送信電力が徐々に増大する。各移動機の送信電力は、他の移動機への干渉を増大させるため、移動機の故障などによる干渉波の影響よりも、送信電力制御による送信電力の増大分による干渉波の影響の方が大きくなり、受信状態の悪い移動機から順に同期はずれを起こすなどして受信ができなくなる可能性があった。その結果、移動機の故障などによる突発的な高い電力の干渉波の発生が原因となってセル内のユーザ収容数が減少するという問題点があった。
【００１０】
本発明の目的は、送信電力の過度な増加により、ユーザ収容数が減少するのを防止する無線基地局装置を提供することにある。
【課題を解決するための手段】
【００１１】
上記目的を達成するために、本発明の基地局装置は、
移動機の送信電力を制御する基地局装置であって、
所定の拡散符号を用いてパスサーチを行って、パスサーチによって得られた中で前記拡散符号との相関性がもっとも高いパスを検出する同期捕捉部と、
前記同期捕捉部で検出された前記パスのＳＩＲ計算値および干渉波電力を算出するＳＩＲ計算部と、
ＳＩＲ基準値を定義しておき、前記ＳＩＲ計算部で算出された前記ＳＩＲ計算値がＳＩＲ基準値より小さければ、送信電力を大きくするような前記送信電力制御情報を生成し、前記ＳＩＲ計算値が前記ＳＩＲ基準値より大きければ、送信電力を小さくするような前記送信電力制御情報を生成する送信電力制御情報生成部と、
前記同期捕捉部で検出された前記パスと前記ＳＩＲ計算部で算出された前記ＳＩＲ計算値および前記干渉波電力との情報に基づいて、突発的な干渉の増加が発生したときには前記送信電力制御情報生成部によって生成された前記送信電力制御情報を使用せず、そうでないときには使用すると判定する受信状態監視部と、
前記受信状態監視部で前記送信電力制御情報生成部によって生成された前記送信電力制御情報を使用すると判定されたときのみ、前記送信電力制御情報生成部の生成した前記送信電力制御情報を前記移動機に通知し、前記送信電力制御情報生成部による前記送信電力制御情報を使用しないと判定されたときには、所定パターンの送信電力制御情報を前記移動機に通知する送信電力制御情報出力制御部と、を有している。
【００１２】
本発明によれば、受信状態監視部は、全ユーザのパス遅延量情報、ＳＩＲ値計算結果および干渉波電力を常時監視する。移動機の故障などで使用する周波数帯に突発的に高い電力値を持つ干渉波が発生すると、送信電力制御情報出力制御部は、送信電力制御情報生成部で生成された送信電力制御情報の出力を停止し、受信状態監視部で生成された所定の送信電力制御情報を出力して各移動機の送信電力を制御する。無線基地局は、送信電力を上げ続ける送信電力制御情報の送信を防止することができる。他ユーザからの干渉波は移動機の故障等による干渉波と比較して、受信品質劣化の影響が少ないため、故障等による干渉波の影響を軽減させることによって、セル内のユーザ収容数の減少を防止することができる。
【００１３】
また、前記受信状態監視部は、前記送信電力制御情報を使用しないと判定すると、前記移動機の送信電力を一定範囲に保つような前記所定パターンの送信電力制御情報を前記送信電力制御情報出力制御部に送り、前記送信電力制御情報制御部は、前記受信状態監視部からの前記送信電力制御情報を前記移動機に通知するようにしてもよい。
【００１４】
これによれば、移動機の故障などで使用する周波数帯に突発的に高い電力値を持つ干渉波が発生したとき、受信状態監視部が移動機の送信電力を一定範囲に保たせるので、セル内のユーザ収容数の減少を防止することができる。
【００１５】
また、前記受信状態監視部は、前記送信電力制御情報生成部による送信電力制御情報を使用しないと判定して前記所定パターンの送信電力制御情報を前記送信電力制御情報出力制御部に送るときに、移動機同士の送信電力の変化が相殺されるように各移動機で異なるパターンを持つ前記送信電力制御情報を割り当てるようにしてもよい。
【００１６】
これによれば、受信状態監視部が移動機同士の送信電力の変化を相殺するので、移動機同士の干渉電力の影響を低減することができる。
【発明の効果】
【００１７】
本発明によれば、送信電力の過度な増加により、ユーザ収容数が減少するのを防止することができる。
【発明を実施するための最良の形態】
【００１８】
本発明を実施するための形態について図面を参照して詳細に説明する。
【００１９】
図１は、本実施形態の無線基地局の構成を示すブロック図である。本無線基地局は、受信アンテナ部１、準同期検波部２、Ａ／Ｄ変換部３、同期捕捉部４、逆拡散部５、ビット復調部６、ＳＩＲ計算部７、ＴＰＣビット生成部８、ＴＰＣビット出力制御部９、受信状態監視部１０、送信データ生成部１１、拡散部１２、拡散データ合成部１３、Ｄ／Ａ変換部１４、直交変調部１５、および送信アンテナ部１６を有している。
【００２０】
準同期検波部２は、受信アンテナ部１からの受信信号をベースバンド処理が可能な周波数帯に変換し、Ａ／Ｄ変換部３に送る。
【００２１】
Ａ／Ｄ変換部３は、準同期検波部２からの信号をＡ／Ｄ変換し、同期捕捉部４に送る。
【００２２】
同期捕捉部４は、Ａ／Ｄ変換部３からの信号を所定の拡散符号を用いてパスサーチを行う。同期捕捉部４は、検出されたパスの中で拡散符号との相関性がもっとも高いパスのパス遅延量情報を逆拡散部５および受信状態監視部１０に送る。
【００２３】
逆拡散部５は、同期捕捉部４からのパス遅延量情報を用いて受信データを逆拡散してビット復調部６に送る。
【００２４】
ビット復調部６は、逆拡散部５からの受信データの位相を調整してＳＩＲ計算部７に送る。
【００２５】
ＳＩＲ計算部７は、ビット復調部６から受けた受信データから希望信号と干渉信号の電力比を示すＳＩＲ値を計算してＴＰＣビット生成部８に送る。
【００２６】
ＴＰＣビット生成部８は、上位装置（不図示）からのＳＩＲ基準値１ＣとＳＩＲ計算部７で計算されたＳＩＲ計算値とを比較した結果に基づいてＴＰＣビットを生成する。ＳＩＲ基準値＞ＳＩＲ計算値であれば、ＴＰＣビット生成部８は、移動機の送信電力を大きくするようなＴＰＣビットを生成する。逆に、ＳＩＲ基準値＜ＳＩＲ計算値であれば、ＴＰＣビット生成部８は、移動機の送信電力を小さくするようなＴＰＣビットを生成する。
【００２７】
ＴＰＣビット出力制御部９は、受信状態監視部１０からＴＰＣビット生成部８で作成されたＴＰＣビットの使用許可の信号を受けると、ＴＰＣビット生成部８からのＴＰＣビットを送信データ生成部１１に送る。また、受信状態監視部１０からＴＰＣビット生成部８で作成されたＴＰＣビットの使用不許可の信号を受けると、受信状態監視部１０からのＴＰＣビットを送信データ生成部１１に送る。
【００２８】
受信状態監視部１０は、使用中の全ユーザ分のパス遅延量情報、ＳＩＲ計算結果、干渉波電力値情報から、ＴＰＣビット生成部８で生成されたＴＰＣビットを使用するか否かをユーザごとに判定し、判定結果をＴＰＣビット出力制御部９に送る。受信状態監視部１０は、ＴＰＣビット生成部８で生成されたＴＰＣビットを使用しない場合に使用すべき所定のＴＰＣビットを生成しＴＰＣビット出力制御部９に送る。
【００２９】
送信データ生成部１１は、所定のデータフォーマットにＴＰＣビット出力制御部９で出力されたＴＰＣビットを挿入して送信データを生成し、拡散部１２に送る。
【００３０】
拡散部１２は、送信データ作成部１１からの送信データを拡散符号によって拡散し、拡散データ合成部１３に送る。
【００３１】
拡散データ合成部１３は、複数ユーザ分の拡散部１２からの拡散データを合成する。
【００３２】
Ｄ／Ａ変換部１４は、拡散データ合成部１３からの拡散データをＤ／Ａ変換し、アナログ信号を直交変調部１５に送る。
【００３３】
直交変調部１５は、Ｄ／Ａ変換部１４からのアナログ信号を無線周波数帯に変換する。
【００３４】
図２は、本実施形態の受信装置の動作を示すフローチャートである。準同期検波部２は、受信アンテナ部１からの受信信号をベースバンド処理が可能な周波数帯に変換し、Ａ／Ｄ変換部３に送る。（ステップ１０１）。Ａ／Ｄ変換部３は、準同期検波部２からの信号をＡ／Ｄ変換し、同期捕捉部４に送る。（ステップ１０２）。同期捕捉部４は、Ａ／Ｄ変換部３からの信号を所定の拡散符号を用いてパスサーチし、検出されたパスの中で拡散符号との相関性がもっとも高い受信パスのパス遅延量情報を逆拡散部５および受信状態監視部１１に送る（ステップ１０３）。
【００３５】
同期捕捉部４からのパス遅延量情報を用いて受信データを逆拡散してビット復調部６に送る。（ステップ１０４）。ビット復調部６は、逆拡散部５からの受信データの位相を調整してＳＩＲ計算部７に送る。（ステップ１０５）。
【００３６】
ＳＩＲ計算部７は、希望信号と干渉信号との電力比を示すＳＩＲ値１Ｄを計算し、ＳＩＲ値１ＤをＴＣＰビット生成部８に送るとともに、ＳＩＲ値１Ｄと干渉波電力値１Ｅを受信状態監視部８に送る（ステップ１０６）。ＴＰＣビット生成部８は、上位装置からのＳＩＲ基準値１ＣとＳＩＲ計算部７からのＳＩＲ値とを比較する（ステップ１０７）。比較の結果がＳＩＲ基準値＞ＳＩＲ計算値であれば、ＴＰＣビット生成部８は、移動機の送信電力を増加させるようなＴＰＣビットを生成する（ステップ１０８）。比較の結果がＳＩＲ基準値＜ＳＩＲ計算値であれば、ＴＰＣビット生成部８は、移動機の送信電力を低下させるようなＴＰＣビットを生成する（ステップ１０９）。
【００３７】
受信状態監視部１０は、使用中の全ユーザ分のパス遅延量情報、ＳＩＲ計算結果、および干渉波電力値情報から、ＴＰＣビット生成部８で生成されたＴＰＣビットを使用するか否かをユーザごとに判定する。（ステップ１１０）。判定した結果、ＴＰＣビット生成部８で生成されたＴＰＣビットを使用するときには、受信状態監視部１０は、使用許可の信号１ＧをＴＰＣビット出力制御部９に送る。判定した結果、ＴＰＣビット生成部８で生成されたＴＰＣビットを使用しないときには、使用不許可の信号１ＧをＴＰＣビット出力制御部９に送るとともに、所定のＴＰＣビット１ＦをＴＰＣビット出力制御部９に送る（ステップ１１１）。ＴＰＣビット出力制御部９は、信号１Ｇに従ってＴＰＣビット生成部８からのＴＰＣビットあるいは受信状態監視部１０からのＴＰＣビットのいずれかを送信データ生成部１１に送る（ステップ１１２）。
【００３８】
送信データ生成部１１は、ＴＰＣビット出力制御部９からのＴＰＣビットを所定のデータフォーマットに挿入して送信データを生成し、拡散部１２に送る。（ステップ１１３）。拡散部１２は、送信データ作成部１１からの送信データを所定の拡散符号によって拡散し、拡散データ合成部１３に送る。拡散データ合成部１３は、複数ユーザ分の拡散部１２からの拡散データを合成する（ステップ１１４）。Ｄ／Ａ変換部１４は、拡散データ合成部１３からの拡散データをＤ／Ａ変換し、アナログ信号を直交変調部１５に送る。（ステップ１１５）。直交変調部１５は、Ｄ／Ａ変換部１４からのアナログ信号を無線周波数帯に変換する。（ステップ１１６）。
【００３９】
図３は、本実施形態の受信状態監視部１０の構成を示すブロック図である。受信状態監視部１０は、ＴＰＣビット生成判定部３１とユーザ単位の処理ユニット３０１〜３０ｎを有している。ユーザ単位の処理ユニット３０１は、第１のユーザ受信状態判定部３２、第２のユーザ受信状態判定部３３、および受信パス状態判定部３４を有している。
【００４０】
第１のユーザ受信状態判定部３２は、ＳＩＲ計算部７からのＳＩＲ計算値１Ｄと干渉波電力値１Ｅを受ける。第１のユーザ受信状態判定部３２は、ＳＩＲ計算部７からのＳＩＲ計算値をメモリ（不図示）に記憶しておき、ＳＩＲ計算値１Ｄと前回入力した際にメモリに記憶したＳＩＲ計算値との差分を計算する。さらに、第１のユーザ受信状態判定部３２は、ＳＩＲ計算部７からの干渉波電力値をメモリ（不図示）に記憶しておき、干渉波電力値１Ｅと前回入力した際に記憶した干渉波電力値との差分を計算する。
【００４１】
そして、第１のユーザ受信状態判定部３２は、ＳＩＲ値の計算値の差分を予め定められた第１の閾値と比較し、干渉波電力値の差分を予め定められた第２の閾値と比較する。ＳＩＲ計算値の差分と第１の閾値の比較から、ＳＩＲ値が所定値以上減少していると判定され、かつ、干渉波電力値の差分と第２の閾値の比較から、干渉波電力値が所定値以上増加していると判定されたとき、第１のユーザ受信状態判定部３２は、ＴＰＣビット生成の制御要求信号３６を第２のユーザ受信状態判定部３３に送ることを開始する。
【００４２】
また、ＳＩＲ計算値の差分と第１の閾値の比較から、ＳＩＲ値が所定値以上増加していると判定され、または干渉波電力値の差分と第２の閾値の比較から、干渉波電力値が所定値以上増加していると判定されたとき、第１のユーザ受信状態判定部３２は、ＴＰＣビット生成の制御要求信号３６を第２のユーザ受信状態判定部３３に送ることを停止する。
【００４３】
受信パス状態判定部３４は、同期捕捉回路４からパス遅延量情報１Ｂを受ける。受信パス状態判定部３４は、パス遅延量情報１Ｂをメモリ（不図示）に記憶しておき、パス遅延量情報１Ｂと前回メモリ記憶したパス遅延量情報とを比較する。比較の結果、パス遅延量情報が一致しているならば、受信位置が安定していることを示す信号３５を第２のユーザ受信状態判定部３３に送る。
【００４４】
第２のユーザ受信状態判定部３３は、第１のユーザ受信状態判定部３２からＴＰＣビット生成の制御要求の信号３６と受信パス状態判定部３４から受信位置安定の信号３５を受けたことを確認すると、ＴＰＣビット生成の制御要求信号３６をＴＰＣビット生成判定部３１に送る。
【００４５】
ＴＰＣビット生成判定部３１は、次の制御要求信号３６を受信するまでの間、その制御要求信号３６に対応するユーザの移動機に送信電力を一定範囲に保つように予め定められたパターンでＴＰＣビットを送る。
【００４６】
図４は、本実施形態の受信状態監視部１０における動作を示すタイムチャートである。図４は、各ユーザの基地局受信における干渉波電力、移動機の送信電力の状態、およびＴＰＣビット生成判定部出力の時間経過を示す。なお、図４では、同一のセル内にいる２ユーザの受信パス位置は変動せずに受信品質は良好とする。
【００４７】
図４（ａ）のタイミングＡで移動機の故障等による高い電力を持つ干渉波が入力されるまで、ユーザ１の受信状態監視部１０は、ＴＰＣビット出力制御部９にＴＰＣビット生成部８で生成されたＴＰＣビットの使用許可を表す信号１Ｇを送る。信号１Ｇを受けたＴＰＣビット出力制御部９は、ＴＰＣビット生成部８で生成されたＴＰＣビットを選択して送信データ生成部１１に送っている。
【００４８】
図４（ａ）のタイミングＡで移動機の故障等が原因で突発的な高い電力の干渉波が入力されると、ユーザ１のＳＩＲ計算部７で計算されるＳＩＲ値は減少し、干渉波電力は増大する。図４（ａ）のタイミングＡでユーザ１の受信状態監視部１０は、図４（ｂ）で使用許可から使用不許可を表す信号１Ｇに変換して、その信号１ＧとＴＰＣビット１ＦをＴＰＣビット出力制御部９に送る。使用不許可を表す信号１Ｇを受けたＴＰＣビット出力制御部９は、ＴＰＣビット生成部８で生成されたＴＰＣビットの送信を停止し、図４（ｄ）のタイミングＢで、受信状態監視部１０によるＴＰＣビット１Ｆに切り替える。
【００４９】
無線基地局は、ユーザ１とユーザ２について、同様の動作を行うが、基地局における受信のタイミングが異なる。図４（ｄ）のタイミングＢで受信状態監視部１０は、所定パターンのＴＰＣビット１Ｆの送信を開始する。あるタイミングではユーザ１の送信電力を上げ、ユーザ２の送信電力を下げる。次のタイミングでは、ユーザ１の送信電力を下げ、ユーザ２の送信電力を上げる。受信状態監視部１０からＴＰＣビット出力制御部９に使用不許可の信号１Ｇが送られている間は、受信状態監視部１０は、所定パターンのＴＰＣビットをＴＰＣビット出力制御部９に送る。この期間中、図４（ｄ）に示されているユーザ１の送信電力と図４（ｈ）に示されているユーザ２は、交互に送信電力を増加させたり、減少させたりを繰り返す。また、図４（ｃ）と図４（ｇ）が示すようにユーザ１のＴＰＣビットパターンとユーザ２のＴＰＣビットパターンが異なるＴＰＣビットパターンになるように制御しておくことで、基地局受信での他ユーザの干渉波電力の影響を抑制できる。
【００５０】
図４（ａ）のタイミングＣで電力の高い干渉波が消滅すると、ユーザ１のＳＩＲ値は前回のＳＩＲ値よりも増加し、かつ干渉波電力値は低下する。受信状態監視部１０は、タイミングＤで使用不許可から使用許可を表す信号１Ｇを変換し、その信号１ＧをＴＰＣビット出力制御部１０に送る。それによって、ＴＰＣビット出力制御部１０は、各ユーザのＴＰＣビット生成部８で生成されたＴＰＣビットをデータ作成部１１に送ることを開始する。
【００５１】
同様にユーザ２でも、図４（ｈ）のタイミングＤで使用不許可から使用許可を表す信号２Ｇを変換し、その信号２ＧをＴＰＣビット出力制御部（不図示）に送る。それによって、ＴＰＣビット出力制御部（不図示）は、各ユーザのＴＰＣビット生成部（不図示）で生成されたＴＰＣビットをデータ生成部（不図示）に送る。
【００５２】
なお、本実施例のＴＰＣビット生成部８とＴＰＣビット出力制御部９は、受信状態監視部１０に含めた構成でも実現できる。また、ＴＰＣビット生成判定部３１にユーザ数の閾値を予め設定しておき、セルを使用中のユーザ数が閾値を越えるまでＴＰＣビット生成部８によるＴＰＣビットを使用し続けることにしてもよい。使用中のユーザが少数のときには、セルのユーザ収容能力の低下はユーザに与える影響が少ないからである。
【００５３】
また、受信パス状態判定部３４は、受信パス位置が予め決められた範囲内にいれば、受信位置が安定している状態を示す信号を第２のユーザ受信状態判定部３６に送る機能にしてもよい。
【００５４】
以上説明したように、本実施形態によれば、受信状態監視部１０は、全ユーザのパス遅延位置情報、ＳＩＲ値計算結果および干渉波電力を常時監視する。移動機の故障などで使用する周波数帯に突発的に高い電力値を持つ干渉波が発生すると、ＴＰＣビット出力制御部９は、ＴＰＣビット生成部８で生成されたＴＰＣビットの出力を停止し、受信状態監視部１０で生成された所定のＴＰＣビットを出力して各移動機の送信電力を制御する。これによって、無線基地局は、送信電力を上げ続けるＴＰＣビットの送信を防止することができる。他ユーザからの干渉波は移動機の故障等による干渉波と比較して、受信品質劣化の影響が少ないため、故障等による干渉波の影響を軽減させることによって、セル内のユーザ収容数の減少を防止することができる。
【００５５】
また、本実施形態では、受信状態監視部１０は、ＴＰＣビット生成部８で生成されたＴＰＣビットを使用しないと判定すると、移動機の送信電力を一定範囲に保つような所定パターンのＴＰＣビットをＴＰＣビット出力制御部９に送り、ＴＰＣビット出力制御部９は、受信状態監視部１０からのＴＰＣビットを移動機に通知するようにしてもよい。
【００５６】
これにより、移動機の故障などで使用する周波数帯に突発的に高い電力値を持つ干渉波が発生したとき、受信状態監視部１０が移動機の送信電力を一定範囲に保たせるので、セル内のユーザ収容数の減少を防止することができる。
【００５７】
また、本実施形態では、受信状態監視部１０は、ＴＰＣビット生成部８で生成されたＴＰＣビットを使用しないと判定して所定パターンのＴＰＣビットをＴＰＣビット出力制御部９に送るときに、移動機同士の送信電力の変化が相殺されるように各移動機で異なるパターンを持つＴＰＣビットを割り当てるようにしてもよい。
【００５８】
これにより、信状態監視部が移動機同士の送信電力の変化を相殺するので、移動機同士の干渉波電力の影響を低減することができる。
【図面の簡単な説明】
【００５９】
【図１】本実施形態の無線基地局の構成を示すブロック図である。
【図２】本実施形態の無線基地局の動作を示すフローチャートである。
【図３】本実施形態の受信状態監視部１０の構成を示すブロック図である。
【図４】本実施形態の受信状態監視部１０における動作を示すタイムチャートである。
【図５】従来の無線基地局の構成を示すブロック図である。
【図６】従来の無線基地局の動作を示すタイムチャートである。
【符号の説明】
【００６０】
１    受信アンテナ部
２    準同期検波部
３    Ａ／Ｄ変換部
４    同期捕捉部
５    逆拡散部
６    ビット復調部
７    ＳＩＲ計算部
８    ＴＰＣビット生成部
９    ＴＰＣビット出力制御部
１０  受信状態監視部
１１  送信データ生成部
１２  拡散部
１３  拡散データ合成部
１４  Ｄ／Ａ変換部
１５  直交変調部
１６  送信アンテナ部
１０１〜１１６  ステップ
【図１】
2007318402.tif 000003
【図２】
2007318402.tif 000004
【図３】
2007318402.tif 000005
【図４】
2007318402.tif 000006
【図５】
2007318402.tif 000007
【図６】
2007318402.tif 000008